(57)【要約】【課題】スピーカ等の音波発生手段から生成された音波等の振動波の伝搬を阻害することなく、音波発生手段の前方における電飾効果を発揮させることができる。【解決手段】音波発生手段５６と、該音波発生手段からの生成音波の伝搬経路上に配置された発光部材９０と、該音波発生手段の隣接位置に配置され、且つ光源１０２ａ、１０３ａを搭載したプリント基板１０２、１０３と、を有した電飾機能部８０を備え、発光部材は、光源からの光を受ける受光部９１と、該受光部から受光した光を音波発生手段の前方に導く導光部９３と、を備える。【選択図】図５
2014183925.tif 000002
【特許請求の範囲】
【請求項１】
音波を生成する音波発生手段と、該音波発生手段が生成した音波の伝搬経路上に少なくとも一部が配置された発光部材と、前記音波の伝搬経路外に少なくとも一部が配置され、且つ光源を搭載したプリント基板と、を有した遊技機であって、
前記発光部材は、前記光源からの光を受ける受光部と、該受光部から受光した光を前記音波の伝搬経路上に導く導光部と、を備えたことを特徴とする遊技機。
【請求項２】
前記音波発生手段は、スピーカであり、
前記スピーカの振動板からの音波の伝搬経路上にはスピーカ保護部材を備え、前記導光部の少なくとも一部は前記振動板と前記スピーカ保護部材との間に配置されていることを特徴とする請求項１に記載の遊技機。
【発明の詳細な説明】
【技術分野】
【０００１】
本発明は、スピーカ、バイブレータ、効果音発生手段等の音波発生手段から出力される音波（振動波）の伝搬経路内の空間を電飾用として利用できるようにした遊技機に関する。
【背景技術】
【０００２】
パチンコ遊技機においては、遊技盤の盤面に入賞口、風車、図柄表示装置、電飾装置等の各種盤面部品を設けて遊技内容の多様性を図っている。そして、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、遊技の進行中における入賞、その他の遊技状態の変化を視覚的に表現、報知したり、遊技進行上での電飾効果を図る等の目的から、遊技盤、可動盤面部品、その他任意の部位にＬＥＤランプやフィラメント式ランプ等を利用した電飾装置を配置している（特許文献１、２）。
ＬＥＤは、小型、低コスト等の理由により、パチンコ遊技機等の遊技機においては電飾用光源として多用されており、遊技盤や、役物等の盤面部品に組み付けられて遊技進行上の効果を狙って使用されることが多い。
【０００３】
一方、特許文献３（特開２０１２−２５４３７６公報）に開示されているように、スピーカから出力される音波による演出効果は遊技機にとって不可欠な要素となっている。
周知のようにスピーカは前面に配置した振動板の振動により空気を振動させて振動波としての音波を生成する構造を備えているため、振動板の前面に音波の伝搬を遮る部材を配置することは、設計の段階で回避される傾向にある。
具体的には、例えば電飾のためにＬＥＤ等の光源を搭載したプリント基板をスピーカの前面側に配置すると、スピーカから出力される音声、楽曲、効果音等の音波の伝搬がプリント基板面によって阻害されて音量、音質、音響効果が低下する。このため、これまでスピーカ前方の空間には、電飾効果を発揮するプリント基板や電飾装置を配置することができないとされていた。
このように従来の遊技機においてスピーカの前方（音波の主たる伝搬経路内）に電飾用のプリント基板、その他の電飾装置を配置できなかったことは、遊技進行上の演出にも限界、制限をもたらし、遊技の興趣を低下させる虞があった。このような不具合は遊技機における電飾装置のレイアウト設計において頻繁に発生する問題であるが、これまで有効な対応策は提案されていなかった。
このような問題は、スピーカ以外の音波（振動波）発生手段、例えば、振動や振動音を生成するバイブレータ、打撃音、摺動音等の効果音を生成する効果音発生手段においても同様に起きる。即ち、遊技機に配置されたバイブレータの前方にプリント基板を配置するとバイブレータから出力される振動音の伝搬が阻害され、音量、音質、音響効果が低下、又は悪化する。また、効果音発生手段においても、効果音の伝搬経路にプリント基板を配置すると効果音の音量、音質、音響効果が低下、或いは悪化する。
また、音波発生手段が出力する音波（振動波）の種類、周波数によっては、共振等に起因してプリント基板上に搭載した電子部品が誤動作したり、故障する原因となることがある。特に例えば音波発生手段から超音波や衝撃波が出力される場合には、プリント基板上のＬＥＤ等を誤動作させる原因となることが想定される。
【先行技術文献】
【特許文献】
【０００４】
【特許文献１】特開２００９−０００３０３公報
【特許文献２】特開２００９−０６６２２１公報
【発明の概要】
【発明が解決しようとする課題】
【０００５】
従来、スピーカ等のように、その前方の空間に光源を搭載したプリント基板、その他の電飾装置を配置することができない音波発生手段にあっては、スピーカ前方の空間を電飾用に利用して演出効果を発揮させることができなかった。
しかし、装飾可能な面積が限られた遊技機において、スピーカ等の音波発生手段により生成された音波の伝搬経路にある空間を利用してイルミネーションによる演出効果を発揮させることができれば、更に変化、工夫に富んだ多様性のある演出が可能となる筈である。
本発明は上記に鑑みてなされたものであり、音波発生手段から生成された音波等の振動波の伝搬を阻害することなく、振動波の伝搬経路を含む空間を利用して電飾効果を発揮させることができるようにした遊技機を提供するものである。
【課題を解決するための手段】
【０００６】
上記目的を達成するため、請求項１の発明は、音波を生成する音波発生手段と、該音波発生手段が生成した音波の伝搬経路上に少なくとも一部が配置された発光部材と、前記音波の伝搬経路外に少なくとも一部が配置され、且つ光源を搭載したプリント基板と、を有した遊技機であって、前記発光部材は、前記光源からの光を受ける受光部と、該受光部から受光した光を前記音波の伝搬経路上に導く導光部と、を備えたことを特徴とする。
請求項２の発明は、前記音波発生手段は、スピーカであり、前記スピーカの振動板からの音波の伝搬経路上にはスピーカ保護部材を備え、前記導光部の少なくとも一部は前記振動板と前記スピーカ保護部材との間に配置されていることを特徴とする。
【発明の効果】
【０００７】
本発明によれば、スピーカ等の音波発生手段から生成された音波の伝搬を阻害することなく、音波発生手段からの音波の伝搬経路を含めた空間を利用した電飾効果を発揮させることができる。
【図面の簡単な説明】
【０００８】
【図１】本発明の実施形態に係る遊技機の一例としてのパチンコ遊技機の構成例を示した全体正面図である。
【図２】遊技機の正面側斜視図である。
【図３】図２の分解斜視図である。
【図４】外枠に対して遊技盤ユニットと内枠を開閉自在に軸支した状態を示す斜視図である。
【図５】本発明の電飾装置ユニットの一例としての音波出力・電飾装置ユニットの正面図である。
【図６】音波出力・電飾装置ユニットの下側斜視図である。
【図７】音波出力・電飾装置ユニットの一部を示す正面図である。
【図８】音波出力・電飾装置ユニットの一部の正面側分解斜視図である。
【図９】スピーカ等を除去した状態の音波出力・電飾装置ユニットの下側斜視図である。
【図１０】（ａ）及び（ｂ）はスピーカ等を除去した状態の音波出力・電飾装置ユニットの正面図、及び底面図である。
【図１１】音波出力・電飾装置ユニットの分解斜視図である。
【図１２】音波出力・電飾装置ユニットの一部の分解斜視図である。
【図１３】（ａ）及び（ｂ）はＬＥＤと受光部との対応関係を示す分解図である。
【図１４】図５のＡ−Ａ断面図である。
【図１５】プリント基板とスピーカとの位置関係を説明するためのスピーカの断面図である。
【図１６】（ａ）及び（ｂ）は発光・導光機能部（発光部材）の構成例を示した斜視図、及び要部（ｂ−ｂ）断面図である。
【発明を実施するための形態】
【０００９】
以下、本発明を図面に示した実施の形態により詳細に説明する。
図１は本発明の実施形態に係る遊技機の一例としてのパチンコ遊技機の構成例を示した全体正面図であり、図２はこの遊技機の正面側斜視図であり、図３は図２の分解斜視図であり、図４は外枠に対して遊技盤ユニットと内枠を開閉自在に軸支した状態を示す斜視図である。
遊技機１は、遊技店の島設備に取り付けられる外枠３００と、外枠３００により一方の縦辺を回動可能に支持された内枠３１０、及び遊技盤ユニットＵと、を備えている。
外枠３００には遊技球が流下する遊技領域３が形成された遊技盤２が設けられている。内枠３１０は、遊技盤２の前方（遊技者側）において遊技領域３を視認可能に覆うガラス板（図示しない）を支持している。
【００１０】
また、内枠３１０には、回動操作されることにより遊技領域３に向けて遊技球を発射させる操作ハンドル３１１と、スピーカから成る音波（振動波）出力装置（音波発生手段）５６、３１２と、押圧操作により演出態様を変更させるための演出ボタン３１４と、左右の演出用可動照明装置３２０Ｌ、３２０Ｒが設けられている。
内枠３１０の上部中央部には音波（振動波）出力・電飾装置ユニット５０が配置されており、音波出力・電飾装置ユニット５０は音波出力装置（スピーカ）５６を備えている。
なお、音波出力・電飾装置ユニット５０についての詳細は後述する。
内枠３１０の下側には、受皿ユニット３１５が設けられている。受皿ユニット３１５には、複数の遊技球を貯留する球皿部が設けられており、この球皿部は、操作ハンドル３１１の方向側に遊技球が流下するように下りの傾斜を有している。そして、遊技者が操作ハンドル３１１を回動させると、遊技球が遊技領域３に発射されることとなる。
上記のようにして発射された遊技球がレール５ａ、５ｂ間を上昇して玉戻り防止片５ｃを超えると、遊技領域３に到達し、その後遊技領域３内を落下する。このとき、遊技領域３に設けられた複数の釘や風車によって、遊技球は予測不能に落下することとなる。
遊技盤ユニットＵは、遊技盤２と、遊技盤２の背面に取り付けられたベース枠体３０と、ベース枠体の背面に取り付けられた画像表示ユニット３５等を備えている。
【００１１】
次に、遊技盤２の遊技領域３の構成について説明する。
遊技領域３には、複数の一般入賞口１８が設けられている。これら各一般入賞口１８に遊技球が入賞すると、所定の賞球（例えば１０個の遊技球）が払い出される。
また、遊技領域３の中央下側の領域には、遊技球が入球可能な始動領域を構成する第１始動口１３および第２始動口１４が設けられている。
この第２始動口１４は、開閉扉１４ａを有しており、開閉扉１４ａが閉状態に維持される第１の態様と、開閉扉１４ａが開状態となる第２の態様とに可動制御される。従って、第２始動口１４は、第１の態様にあるときには遊技球の入賞機会がなく、第２の態様にあるときには遊技球の入賞機会が増すこととなる。
【００１２】
ここで、第１始動口１３または第２始動口１４に遊技球が入球すると、特別図柄判定用乱数値等を取得し、大当たり遊技を実行する権利獲得の抽選（以下、「大当たり抽選」という）が行われる。また、第１始動口１３または第２始動口１４に遊技球が入球した場合には、所定の賞球（例えば３個の遊技球）が払い出される。
さらに、遊技領域３の右側の領域には、遊技球が通過可能な普通図柄用のゲート１５と、遊技球が入球可能な大入賞装置１６とが設けられている。
このため、操作ハンドル３１１を大きく回動させ、強い力で打ち出された遊技球でないと、ゲート１５と大入賞装置１６には遊技球が通過または入賞しないように構成されている。
ゲート１５において遊技球の通過を検出すると、普通図柄判定用乱数値を取得し、「普通図柄の当たり抽選」が行われる。
【００１３】
大入賞装置１６は、通常は大入賞装置可動片（第１開閉片）１６ａによって第１大入賞口を閉状態に維持されており、遊技球の入球を不可能としている。これに対して、所定の特別遊技が開始されると、第１開閉片１６ａが開放されるとともに、この第１開閉片１６ａが遊技球を第１大入賞口内に導く受け皿として機能し、遊技球が第１大入賞口に入球可能となる。第１大入賞口に遊技球が入球すると予め設定された賞球（例えば１５個の遊技球）が払い出される。
さらには、遊技領域３の最下部の領域には、一般入賞口１８、第１始動口１３、第２始動口１４、大入賞装置１６のいずれにも入球しなかった遊技球を排出するためのアウト口１９が設けられている。
【００１４】
また、遊技領域３の中央には開口部３Ａが形成されており、開口部３Ａの周縁に沿って遊技球の流下に影響を与える飾り部材６が設けられている。この飾り部材６の略中央部分（開放部）であって遊技盤の背面側には、液晶表示装置等からなる主画像表示装置（主表示部材）７が設けられている。
この画像表示装置（主表示装置）７は、遊技が行われていない待機中に画像を表示したり、遊技の進行に応じた画像を表示したりする。なかでも、後述する大当たり抽選の結果を報知するための３個の演出図柄８が表示され、特定の演出図柄８の組合せ（例えば、７７７等）が停止表示されることにより、大当たり抽選結果として大当たりが報知される。
【００１５】
具体的には、第１始動口１３または第２始動口１４に遊技球が入球したときには、３個の演出図柄８をそれぞれスクロール表示するとともに、所定時間経過後に当該スクロールを停止させて、演出図柄８を停止表示するものである。また、この演出図柄８の変動表示中に、さまざまな画像やキャラクター等を表示することによって、大当たりに当選するかもしれないという高い期待感を遊技者に与えるようにもしている。
さらに、上記の各種の演出装置に加えて、音波出力装置５６、３１２は、ＢＧＭ（バックグランドミュージック）、ＳＥ（サウンドエフェクト）等を出力し、サウンドによる演出を行う。
【００１６】
遊技盤２の左下方には、各種図柄を表示するための図柄表示装置９が設けられている。
受皿ユニット３１５の上面には、一般的にチャンスボタンと呼ばれる演出ボタン３１４が配置されている。演出ボタン３１４の操作は、例えば遊技中における特定のリーチ演出に際し、演出ボタン３１４の操作を促すガイダンスが画像表示装置７に表示されている間有効となる。
【００１７】
次に、図５は本発明の電飾装置ユニットの一例としての音波出力・電飾装置ユニットの正面図であり、図６は音波出力・電飾装置ユニットの下側斜視図であり、図７は音波出力・電飾装置ユニットの一部を示す正面図であり、図８は音波出力・電飾装置ユニットの一部の正面側分解斜視図であり、図９はスピーカ等を除去した状態の音波出力・電飾装置ユニットの下側斜視図であり、図１０（ａ）及び（ｂ）はスピーカ等を除去した状態の音波出力・電飾装置ユニットの正面図、及び底面図であり、図１１は音波出力・電飾装置ユニットの分解斜視図であり、図１２は音波出力・電飾装置ユニットの一部の分解斜視図であり、図１３（ａ）及び（ｂ）はＬＥＤと受光部との対応関係を示す分解図であり、図１４は図５のＡ−Ａ断面図であり、図１５はプリント基板とスピーカとの位置関係を説明するためのスピーカの断面図であり、図１６（ａ）及び（ｂ）は発光・導光機能部（発光部材）の構成例を示した斜視図、及び要部（ｂ−ｂ）断面図である。
【００１８】
音波出力・電飾装置ユニット５０は、内枠３１０の上端部に沿って固定配置されるベース部材５１と、ベース部材５１の前面に配置され少なくとも一つのスピーカ（音波発生手段）５６を有したスピーカ機能部５５と、スピーカの前方（音波の伝搬方向）の空間内における電飾による演出を可能とする電飾機能部８０と、を備えている。
音波（振動波）は空気を振動させることにより生成されるものであるから、スピーカは音波（振動波）発生手段の一種である。
本例に係るスピーカ機能部５５は、左右に離間配置された２つのスピーカ５６と、各スピーカを支持する支持穴５７ａを有したスピーカ支持部材５７と、スピーカの振動板５６ａの前方に配置されて振動板を保護するスピーカ保護部材９８と、を備えている。
スピーカ保護部材９８としては、メッシュ状体、網状体等を用いる。
電飾機能部８０は、スピーカ機能部５５を内部に収容して支持した状態でベース部材５１の前面に取り付けられる外装体８１と、各スピーカ５６の振動板５６ａの前方（音波の伝搬経路内）に配置される発光部材９０と、振動板の前方を回避した各スピーカの隣接位置（スピーカ支持部材５７の中央部前面）に配置され、且つ複数のＬＥＤ（光源）を搭載したプリント基板１００と、を備えている。
発光部材９０は、一つのＬＥＤからの光を受ける受光部９１と、受光部から受光した光を振動板の前方に導く導光部９３と、を備えている。発光部材９０は、少なくとも一部が透明材料、透光材料から構成されており、受光部から入射した光が導光部の少なくとも一部（本例では導光部全体）に展開して導光部を発光させるように構成されている。導光部の外面適所に遮光塗料を塗ることにより、発光方向、発光部、光量の強弱を調整するようにしてもよい。
【００１９】
図示した実施形態に係るプリント基板１００は、スピーカ支持部材５７の前面側に配置される。プリント基板１００は、周知のように絶縁基板と、絶縁基板面に形成した配線パターンと、配線パターン上に搭載されたＬＥＤ（光源）、ランプ（光源）等の電気部品、電子部品などから構成される。
プリント基板１００は、スピーカの前方（音波の伝搬経路）を回避した箇所であれば、どのような部位にも配置できる。例えばスピーカ支持部材上、或いはスピーカ支持部材に搭載された他の部品に配置されていればよく、配置部位に制限はない。また、スピーカ支持部材の背面側、側方等の任意の位置に配置しても良い。プリント基板上のＬＥＤからの光が発光部材の受光部から入射されて導光部９３を発光させることができればよいからである。
更に、プリント基板は、スピーカとの位置関係では、その横方向のみならず、上下方向、斜め方向、背面側等の任意の位置に配置できる。
なお、プリント基板の一部がスピーカの前方に干渉するように配置されていたとしても、目的とする音量、音質、音響効果などに影響がない、或いはプリント基板に搭載したＬＥＤ等の光源が音波（空気の振動）により破損されることがない、と判断される場合には、そのようなレイアウトも可能である。
本発明では、プリント基板１００は少なくともその一部が、スピーカ５６の振動板５６ａから出力される音波の主たる伝搬経路を回避した位置に配置される。
【００２０】
図１５のスピーカの概略断面図に示すように、スピーカ５６は、コイル５６ｂ、磁石５６ｃ、振動板（コーン紙）５６ａを有し、コイル５６ｂに電気信号（音声信号）入力することにより振動板を機械的に振動させて空気の振動波である音波を生成、出力する手段である。
振動板（コーン紙）５６ａは、コーン状（テーパー状）の前面を有しているが、振動板の前端縁をコーン状の前面に沿ってそのまま斜め前方に延長（拡開）させたテーパー状の空間を音波の主たる伝搬経路（伝搬範囲）Ｐであると仮定した場合には、この伝搬経路Ｐの外側にプリント基板を配置する。
ただ、前述のように、振動板５６ａから出力される音波の主たる伝搬経路Ｐの一部と干渉する箇所にプリント基板の一部が位置していたとしても、音量、音質、音響効果等に大きな影響がない場合には、そのようなレイアウトであっても差し支えない。
なお、発光部材９０を構成する発光部９１は主たる伝搬経路Ｐの外側に配置するのが好ましく、導光部９３は大半の部分を主伝送経路内に配置する。
本実施形態に係るプリント基板１００は、スピーカ支持部材の前面中央部、及び第１の環状部材（プリント基板支持部材）１１２に配置されて正面へ向けて光を出射する複数の第１のＬＥＤ１０１ａを備えた第１のプリント基板１０１と、第１のプリント基板の左右に夫々隣接配置されて横方向外側（各スピーカ側）へ光を出射する複数の第２、第３のＬＥＤ１０２ａ、１０３ａを備えた第２、及び第３のプリント基板１０２、１０３と、を備えている。
本例では、第１のプリント基板１０１は、スピーカ支持部材５７の中央部に設けた凹所底面と、第１の環状部材（プリント基板支持部材）１１２の前面側周縁部に夫々配置された２つの基板から成る。
第１のプリント基板１０１上の各第１のＬＥＤ１０１ａからの光は、外装体８１の前面中央部に配置された正面発光機能部１１０を介して正面へ向けて出射される。第２、第３のプリント基板１０２、１０３上の各第２、第３のＬＥＤ１０２ａ、１０３ａからの光は、左右の発光部材９０の各受光部９１から各発光部材内に入射して導光部９３を発光させる。第２、第３のＬＥＤ１０２ａ、１０３ａとしては、例えばサイドビュータイプのＬＥＤを使用する。
【００２１】
図１２に示すように、正面発光機能部１１０は、中央部に開口部１１１ａを有した正面発光ベース１１１と、正面発光ベースの前面に順次組み付けられる第１の環状部材（プリント基板支持部材）１１２、第２の環状部材１１３、及び透光性装飾部材１１４、１１５、１１６と、を有する。第１の環状部材（プリント基板支持部材）１１２と第２の環状部材１１３との間には、発光部材９０の受光部が配置される。透光性装飾部材１１４、１１５はレンズ状の加工が施された部材であり、透光性装飾部材１１６は透明板である。これらは、正面発光ベース１１１の前面に螺子止め等により固定される。
正面発光機能部１１０は、スピーカ機能部５５を構成するスピーカ支持部材５７（図１１）の中央部に配置される。
第１の環状部材１１２の環状の前面にはＵ字状の第１のプリント基板１０１が配置され、第１のプリント基板の左右外側には夫々第２、及び第３のプリント基板１０２、１０３が配置される。第２、及び第３のプリント基板１０２、１０３は正面発光ベース１１１によって支持しても良い。
【００２２】
第２、第３のプリント基板は、第１のプリント基板の横方向であれば、どのような部位に配置してもよい。具体的には、第１の環状部材１１２の環状の前面よりも奥方（例えば、後述する外装体本体８２の空所Ｓ内）に第２、第３のプリント基板を配置してもよい。
第２、第３のプリント基板をスピーカの前方の空間（音声の伝搬経路Ｐ）を回避したどのような部位に配置しようと、発光部材の受光部９１を各ＬＥＤの発光部に近づけるようにレイアウトすれば、導光部９３に光を導光することが可能となる。つまり、本例によれば、プリント基板の配置についてレイアウト自由度を高めることが可能となる。
第１のＬＥＤ１０１ａからの光は、各透光性装飾部材１１４、１１５、１１６を透過して前方へ出射される。
サイドビュータイプの第２、及び第３のプリント基板上の各ＬＥＤ１０２ａ、１０３ａの横方向（出射経路上）には各発光部材９０の受光部９１が近接して対向配置される。なお、第２、及び第３のＬＥＤは正面に発光するタイプであってもよい。この場合には各ＬＥＤの発光部を覆うように受光部９１を配置すればよい。
【００２３】
外装体８１は、スピーカ機能部５５を内部に収容する空所Ｓを有した外装体本体８２と、外装体本体の前面中央部に配置されて最前部の透光性装飾部材１１６を位置決めする枠体８３と、枠体８３の左右縁部から横方向へ向けて延びる装飾部材である複数本の細長い枝状部材８４と、を備えている。空所Ｓは枠体８３の内部に形成されている。
スピーカ機能部５５を外装体８１の内部に収容した場合には、枝状部材８４の後方には、スピーカを保護するためのメッシュ状のスピーカ保護部材９８、発光部材９０、スピーカ（音波発生手段）５６が順次配置されることとなる（図１１）。スピーカ保護部材９８の前方に配置される各枝状部材８４は十分に離間配置されており、個々の枝状部材の幅、及び枝状部材間の間隔はスピーカから出力される音を遮蔽しないように配慮されている。
【００２４】
本実施形態に係る個々の枝状部材８４は、細長く屈曲した形状を有しているが、その形状、本数等は任意に設定可能である。例えば、蜘蛛の巣状（ネット状）に展開するように構成してもよい。
各発光部材９０は、対応する各第２及び第３のＬＥＤ１０２ａ、１０３ａの発光部に内側端部の各受光部９１を対面（非接触状態、接触状態を含む）させると共に、各受光部から横方向に延びる導光部９３は枝状に広がってスピーカの前面に配置される。なお、枝状とは、複数の細長い部材が離間して延びている状態を示すが、一部が交差してもよいし、細長い部材からさらに分岐してもよい。
ＬＥＤの発光部と対面する受光部９１を図示しない凹所状とすることにより、この凹所内に発光部からの光を漏れなく入射できるように構成してもよい。
各受光部９１を回避した導光部９３の裏側には板状の突片９３Ａが後方へ向けて突設されている（図１３、図１６）。この突片９３Ａはプリント基板１０２、１０３の位置決め用、その他の周辺部品との位置決め用に用いられる。
本例に係る導光部９３は、その断面形状が四角形であるが、発光した導光部を前方から十分に視認できる幅寸法を備えていれば断面形状は問わない。
各受光部９１の内側端部は内側連接片９４により連接され、各受光部９１の外側端部は外側連接片９５により連接されて、発光・導光機能部９６を構成している。このため、各発光・導光機能部９６をスピーカ支持部材５７の所要箇所に組み付けた際には、各発光部材の受光部９１が各第２、第３のＬＥＤ１０２ａ、１０３ａと対向することとなる。
内側連接片９４、９５を透光材料から構成することにより、導光部９３と共に発光させて電飾効果の向上に寄与させることができる。
また、内側連接片９４を遮光性のある材料から構成することにより、ＬＥＤ１０２ａ、１０３ａからの漏れ光を低減し、各ＬＥＤからの大半の光を受光部９１から導光部９３内に導くことが可能となる。
なお、発光部材９０は、図示した例のように屈曲した枝状の細長い部材をほぼ横方向に延びるように間隔を隔てて配置した形態に限らず、縦方向や斜め方向に延びるようにしてもよいし、細長い導光部同士を交差させてメッシュ状、蜘蛛の巣状にしてもよい。そして、発光部材９０自体の形状、複数の発光部材の配置は、スピーカから出力される音（振動）を阻害して音質、音響効果を悪化させることがないように配慮する。
【００２５】
以上の構成を備えた音波出力・電飾装置ユニット（電飾装置ユニット）５０を組み立てる場合には、図１１に示すように、ベース部材５１の前面に、スピーカ機能部５５を構成する部品群と、電飾機能部８０を構成する部品群を組み付ける。
この組み付けに際しては、まず、図１１に示すように各スピーカ５６をスピーカ支持部材５７の支持穴５７ａ内に組み付け、スピーカを支持したスピーカ支持部材５７の前面に、正面発光機能部１１０を構成する部品群と、発光部材９０を構成する部品群を順次組み付ける。また、各発光部材９０の前面に夫々スピーカ保護部材９８を添設した状態で、スピーカ５６、正面発光機能部１１０、発光部材９０、スピーカ保護部材９８を組み付けたスピーカ支持部材５７を、外装体８１内に組み込む。この際、外装体８１内部では、スピーカ保護部材９８の前方には枝状部材８４が配置され、スピーカ保護部材の後方には発光部材９０が配置されることになる。
【００２６】
次に、電飾機能部８０を構成する部品群と、正面発光機能部１１０を構成する部品群との対応関係は図１２に示している。
図１２に示すように、正面発光ベース１１１の前部には、第１の環状部材（プリント基板支持部材）１１２、第２の環状部材１１３、及び透光性装飾部材１１４、１１５、１６を順次組み付ける。この際、第１の環状部材１１２と第２の環状部材１１３との間には、発光部材９０の受光部９１を配置する。
発光・導光機能部９６は各スピーカ５６の振動板の前面とスピーカ保護部材９８との間に配置される。
【００２７】
図１３（ａ）（ｂ）に示すように、一方の第１のプリント基板１０１は正面発光ベース１１１の中央の開口部１１１ａ内に配置し、Ｕ字状の他方の第１のプリント基板１０１は第１の環状部材１１２の前面側に配置する。また、第２、第３のプリント基板１０２、１０３は、Ｕ字状のプリント基板１０１の左右横方向に配置する。具体的は、第１の環状部材１１２の前面、或いは正面発光ベース１１１の前部に固定する。
また、図１３、図１６に示すように、発光部材９０の受光部９１は第２、第３のＬＥＤ１０２ａ、１０３ａの発光部と対向して配置する。
ＬＥＤの発光部との関係における受光部の具体的位置、形状は、図示のものに限定される訳ではなく、ＬＥＤの発光部からの光が導光部９３内に入射されて導光部全体を発光させることができれば、どのようにレイアウトしても差し支えない。
細長い形状を有した個々の導光部９３の幅は、スピーカの前面の面積に比べて大幅に狭くすると共に、個々の導光部間の間隔を十分に広くすることによって、スピーカから出力される音（空気の振動）を阻害しないように配慮する。
【００２８】
このようにして組付けを完了したスピーカ機能部５５と、外装体８１以外の電飾機能部８０の構成部品は、外装体８１の内部に組み込まれる。外装体８１の前面に設けられた複数の枝状部材８４は、複数の発光部材９０の前方に配置される。発光部材９０は、その一部又は全部の位置を枝状部材８４からずらして配置することにより、発光部材９０を発光させた時に枝状部材８４との協働により演出効果を発揮することができる。
特に、スピーカ保護部材９８の背後に発光部材９０を配置することにより演出上の意外性といった効果を発揮することができる。即ち、発光部材９０を発光させていない暗い状態では、発光部材はスピーカ保護部材により隠蔽されてその存在を視認することができないが、発光することにより発光部材の存在を突然クローズアップさせることができる。また、メッシュの背後に隠れてその存在を全く知り得なかった発光部材が突然発光することにより、遊技者は予想しなかった部位からの発光により驚きを感じ、綺麗に感じるという美観向上効果も発生する。この美観向上効果はスピーカ保護部材を黒等の暗色として、非発光時に発光部材を完全に隠蔽することにより、より一層高まる。
【００２９】
次に、図１４の断面図には、第２のプリント基板１０２、及びＬＥＤ１０２ａと、発光部材９０との対応関係が示されている。
各ＬＥＤ１０２ａの発光部と対向する発光部材の部位に受光部９１が配置されている。各ＬＥＤ１０２ａの発光部と、各受光部９１とは一対一で対向し、且つ近接していることにより、光の漏れを少なく抑えながら効率的に導光部に向けて光を入射させることが可能となる。このため、スピーカ保護部材９８の背後にある各導光部９３をスピーカ保護部材の前方から明確に視認できる程度に十分に明るく発光させることが可能となる。
なお、導光性材料から成る内側連接片９４による導光機能を利用することにより、一つのＬＥＤからの光を複数の導光部に導いて発光させることも可能である。
また、この例では、スピーカ５６の前面が正面方向よりも下向きに傾斜して配置されているため、発光部材９０はスピーカの前面に沿うように下向きに傾斜して配置されているが、スピーカの前面の向きとは関係なく発光部材９０をほぼ垂直に配置して正面からより視認し易くしてもよい。
【００３０】
次に、図１６（ａ）及び（ｂ）に基づいて発光・導光機能部（発光部材）の他の特徴的な構成例について説明する。
発光・導光機能部９６は、発光部材９０（導光部９３）の背面側に凹凸部９３ａを設けることによりＬＥＤ１０２ａ、１０３ａから入射した光を凹凸部９３ａで前方に反射させやすく構成している。凹凸部９３ａを設けない場合には導光部９３内に入射した光は前方から見て導光部内部で発光していることが判るが、前方へ出射する光量が少ない。これに対してこの実施形態によれば、前方への発光量をより多くできるので、発光部材９０の存在感を一層強くすることができる。
或いは、発光部材（導光部）の背面、側面、その他の任意の部位に反射膜層や遮光膜層を設けても良い。
【００３１】
このように本発明の音波出力・電飾装置ユニット５０にあっては、スピーカ、バイブレータ、効果音発生手段のように音波（振動波）を出力する音波発生手段（振動波発生手段）からの音波の伝搬経路（出力経路）に、ＬＥＤ、ランプ等の光源を搭載したプリント基板を配置することがない。その代わりに、プリント基板を前記伝搬経路を回避した位置に配置しつつ、プリント基板上の光源からの光を受けて発光する発光部材を音波発生手段の伝搬経路に配置した。発光部材は、音波などの空気の振動を遮断したり、阻害することがない細幅の発光部材を複数本離間させて配置している。
即ち、従来スピーカ、バイブレータ、効果音発生手段等の音波発生手段（振動波発生手段）にあっては、その前方（音波の伝搬経路）に電飾用の光源を搭載したプリント基板を配置することができなかった。
【００３２】
これに対して本発明では、装飾可能な面積が限られた遊技機において、従来光源を搭載したプリント基板を配置することができなかった音波発生手段からの音波の伝搬経路に、電飾機能を備えた発光部材を配置することが可能となった。このため、従来電飾することができなかった領域、空間内で、イルミネーションによる演出効果を発揮させることが可能となり、変化、工夫に富んだ多様性のある演出が可能となる。
また、第２、第３のＬＥＤをどのような位置に配置しようと、発光部材の受光部９１が各ＬＥＤの発光部に近づけるように発光部材の形状、サイズ、導光部の位置をレイアウトすれば、導光部９３を発光させることができる。つまり、本発明によれば、プリント基板の配置についてレイアウト自由度を高めることが可能となる。
また、音波発生手段が出力する音波（振動波）の種類、周波数によっては、共振等に起因してプリント基板上に搭載した電子部品が誤動作したり、故障する原因となることがあるが、本発明によればそのような問題を生じることなく、音波発生手段からの音波伝搬経路内に電飾効果を発揮する部品類を配置することが可能となる。
音波発生手段には、人間が聴取可能な音波である音声を発生する手段の他に、聴取不可能な音波、例えば超音波を発生する手段を含むものである。
なお、上記実施形態に示した音波出力・電飾装置ユニット５０は、電飾装置ユニットの一例に過ぎない。従って、発光部材をスピーカ以外の音波（振動波）発生手段（部品、装置）の前方に配置してイルミネーションによる装飾を実現することもできる。
【符号の説明】
【００３３】
１…遊技機、２…遊技盤、３…遊技領域、３Ａ…開口部、７…画像表示装置、８…演出図柄、１３…始動口、１４…始動口、１４ａ…開閉扉、１５…ゲート、１６…大入賞装置、１６ａ…開閉片、１８…一般入賞口、１８…各一般入賞口、１９…アウト口、３０…ベース枠体、３５…画像表示ユニット、５０…音波出力・電飾装置ユニット、５１…ベース部材、５５…スピーカ機能部、５６…スピーカ（音波発生手段、振動波発生手段）、５６ａ…振動板、５７…スピーカ支持部材、５７ａ…支持穴、８０…電飾機能部、８１…外装体、８２…外装体本体、８３…枠体、８４…枝状部材、９０…発光部材、９１…受光部、９３…導光部、９３ａ…凹凸部、９４…内側連接片、９５…外側連接片、９６…発光・導光機能部、９８…スピーカ保護部材、１００…プリント基板、１０１…第１のプリント基板、１０１ａ…第１のＬＥＤ、１０２…第２のプリント基板、１０３…第３のプリント基板、１０２ａ…第２のＬＥＤ、１０３ａ…第３のＬＥＤ、１１０…正面発光機能部、１１１…正面発光ベース、１１１ａ…開口部、１１２…環状部材、１１３…環状部材、１１４、１１５…透光性装飾部材、１１６…透光性装飾部材
【図１】
2014183925.tif 000003
【図２】
2014183925.tif 000004
【図３】
2014183925.tif 000005
【図４】
2014183925.tif 000006
【図５】
2014183925.tif 000007
【図６】
2014183925.tif 000008
【図７】
2014183925.tif 000009
【図８】
2014183925.tif 000010
【図９】
2014183925.tif 000011
【図１０】
2014183925.tif 000012
【図１１】
2014183925.tif 000013
【図１２】
2014183925.tif 000014
【図１３】
2014183925.tif 000015
【図１４】
2014183925.tif 000016
【図１５】
2014183925.tif 000017
【図１６】
2014183925.tif 000018